(57)【要約】      （修正有）【課題】物品管理処理に伴う入力の手間や入力ミス等の欠点を解消するとともに、物品管理の正確性を向上させる。【解決手段】被写体を撮像する撮像装置１２より前記被写体の画像データを入力するとともに、物品に装着されたタグＩＤ受信カード１０のＩＤ情報を入力手段より入力し、入力した前記被写体の画像データと、前記入力手段より入力された前記物品の識別情報とを対応付けてデータメモリ６内にて記憶する。【選択図】  図１
2004265099.tif 000002
【特許請求の範囲】
【請求項１】
被写体を撮像する撮像手段より前記被写体の画像データを入力する第１の入力手段と、
物品に装着された情報送信装置から送信される前記情報処理装置の識別情報を入力する第２の入力手段と、
前記第１の入力手段より入力された前記被写体の画像データと、前記第２の入力手段より入力された前記物品の識別情報とを対応付けて記憶する記憶手段と、前記記憶手段にて記憶される画像データから任意の画像データを選択可能な選択手段と、
前記受信手段より情報送信装置の識別情報を前記第２の入力手段が新たに入力した場合、前記選択手段にて選択された前記画像データに対応付けて記憶される複数の情報送信装置の識別情報を前記記憶手段から抽出する抽出手段と、
前記抽出手段により抽出された前記複数の情報送信装置の識別情報と、前記新たな情報送信装置の識別情報とを照合する照合手段と、
前記照合手段による照合結果を通知する通知手段とを有することを特徴とする情報処理装置。
【発明の詳細な説明】
【０００１】
【発明の属する技術分野】
本発明は、例えば無線タグ等の情報送信手段から送信される識別情報を利用して物品管理が行い得る情報処理装置に関するものである。
【０００２】
【従来の技術】
従来、物品の管理を軽減する方法として、物品に無線タグを付け無線ＩＤ受信装置による物品管理方法が次の先行技術文献に開示されている。
【０００３】
特開平１０−０４９７５６号公報には、無線タグを使って籠内の商品を取り出さずに登録可能であり、商品ごとに専用の無線タグを作成し、納品先によりリストを切替えて管理する手法が開示されている。
【０００４】
また、特開２００１−３９５３３号公報には、無線タグを用いた仕分け装置が開示されており、１つに纏められた複数の物品が、同一の宛先に正しく仕分けされるかをチェックすることが可能である。
【０００５】
また、特開２０００−１１３０７７号公報には、無線タグを物品識別用と収納される区画用の双方に備え管理する手法が開示されている。
【０００６】
さらに、特開２００２−１６３３０１号公報には、個人の携行品管理をスケジュール等行動予測により動的にリストを変化させて対応する手法が開示されている。
【０００７】
【特許文献１】
特開平１０−０４９７５６号公報
【特許文献２】
特開２００１−３９５３３号公報
【特許文献３】
特開２０００−１１３０７７号公報
【特許文献４】
特開２００２−１６３３０１号公報
【０００８】
【発明が解決しようとする課題】
しかしながら、特開平１０−０４９７５６号公報、特開２００１−３９５３３号公報及び特開２０００−１１３０７７号公報に開示された技術は、いずれも物品に対応するＩＤ番号を納入先や仕分け先毎に対応つけた表をあらかじめコンピュータ等で入力しておかなければならず、入力の手間や入力ミスを犯しやすいという欠点があった。また、装置の設置された指定の場所でなければ使えないという、場所の条件があるものであった。
【０００９】
また、特開２００２−１６３３０１号公報に開示された技術は、人の行動予測に基づき物品管理対象を動的に生成する事で入力の手間を軽減しているものの予測に基づくものであって、正確性にかけるという欠点があった。
【００１０】
従って、本発明の目的は、物品管理処理に伴う入力の手間や入力ミス等の欠点を解消するとともに、物品管理の正確性を向上させることにある。
【００１１】
【課題を解決するための手段】
斯かる目的を達成するために、本発明の情報処理装置は、被写体を撮像する撮像手段より前記被写体の画像データを入力する第１の入力手段と、物品に装着された情報送信装置から送信される前記情報処理装置の識別情報を入力する第２の入力手段と、前記第１の入力手段より入力された前記被写体の画像データと、前記第２の入力手段より入力された前記物品の識別情報とを対応付けて記憶する記憶手段と、前記記憶手段にて記憶される画像データから任意の画像データを選択可能な選択手段と、前記受信手段より情報送信装置の識別情報を前記第２の入力手段が新たに入力した場合、前記選択手段にて選択された前記画像データに対応付けて記憶される複数の情報送信装置の識別情報を前記記憶手段から抽出する抽出手段と、前記抽出手段により抽出された前記複数の情報送信装置の識別情報と、前記新たな情報送信装置の識別情報とを照合する照合手段と、前記照合手段による照合結果を通知する通知手段とを有することを特徴としている。
【００１２】
【発明の実施の形態】
以下、本発明を適用した好適な実施形態を、添付図面を参照しながら詳細に説明する。
図１は、本発明の一実施形態に係る情報処理システムのハードウェア構成を示すブロック図である。本実施形態に係る情報処理システムは、携帯情報処理端末、タグＩＤ受信カード１０及び撮像装置１２によって構成される。
【００１３】
携帯情報処理端末は、後述する符号１〜９、１１及び１３の構成をその主要部として成る。１は、画像データ及びその他のデータを入力する入力部であり、ここではハードキーのシャッタ（決定ボタン）、通信ボタン、撮影−表示モード切替ボタン、属性追加−検索切替ボタン、グループｏｎ／ｏｆｆボタンによる入力信号を受け付ける。
【００１４】
２は、入力部１で入力された画像データ等、データメモリ６内のデータ、及び、操作の為のユーザインタフェースを表示する表示部である。
【００１５】
３は、入出力Ｉ／Ｆ部であり、後述するプログラム処理に従って、入力部１からのデータ読みこみや表示部２へのデータ出力、その他の信号を入出力するためのＩ／Ｆ回路である。
【００１６】
４は、ＭＰＵであり、各種処理のための演算、論理判断等を行ない、カードスロット１１及びカメラＩ／Ｆ１３からの入力を処理すると同時に指示出力を行い、バス９に接続された各構成要素を制御する。
【００１７】
図中、ＭＰＵ４の入力端子の一つであるカードスロット１１は、各種機能カードの挿入により機能拡張する為の入力端子であり、本実施形態では無線タグＩＤ受信カード１０の挿入を想定している。同じくＭＰＵ４の入力端子の一つであるカメラＩ／Ｆ端子１３は、本端末に接続可能な撮像装置１２の撮像データを入力する為の入力端子である。
【００１８】
５は、プログラムメモリであり、後述するフローチャートを含む処理手順をＣＰＵ４に実行させるためのプログラムを格納したメモリである。プログラムメモリ５は、ＲＯＭであってもよいし、外部記憶装置などからプログラムがロードされるＲＡＭであってもよい。
【００１９】
６は、データメモリであり、各種処理で生じたデータを格納する。データメモリ６は、例えばＲＡＭとし、ファイルデータベース７及びＩＤテーブル８を格納している。７は、ファイルデータベースであり、入力された複数のファイルデータが格納されている。８は、ＩＤテーブルであり、ファイルデータベース７の各データを関連付けるリンクデータが格納されている。
【００２０】
９は、ＭＰＵ４の制御の対象とする構成要素を指示するアドレス信号、各構成要素を制御するためのコントロール信号、及び、各構成機器相互間でやりとりされるデータの転送を行なうためのバスである。
【００２１】
１０は、タグＩＤ受信カードであり、無線タグからのタグＩＤ信号を受信する為の、電磁波発生器及び受信機を内蔵する。１１はカードスロットであり、本端末に各種機能カードの挿入により機能拡張する為の入力端子である。１２は撮像装置である。１３は撮像装置１２と本体を接続するカメラＩ／Ｆである。
【００２２】
図２は、本実施形態に係る情報処理システム全体の流れを示す図である。
同図に示すように、電源が投入されるとシステムが起動し、先ず、ステップＳ２０１において、電源ＯＮを待機する。電源がＯＮされると、ステップＳ２０２において、電源ＯＮ処理が起動され電源が起動される。
【００２３】
次にステップＳ２０３において電源ＯＦＦと判断された場合は、ステップＳ２２０に進みシステム終了手段を起動し、システムを終了する。ステップＳ２０３において電源ＯＦＦと判断されない場合は、ステップＳ２０４に進み、モードが撮影であった場合にはステップＳ２０５に進み、通信ボタンまたはシャッタボタンによる入力を待つ。
【００２４】
ステップＳ２０５で、通信ボタンが押された場合は、ステップＳ２０９に進み、受信手段を起動し受信可能範囲にある無線タグＩＤを受信し、続くステップＳ２１０で受信ＩＤ表示手段を起動し、受信したＩＤに対応する画像をデータベースより抽出して表示し、ステップＳ２０３に戻る。
【００２５】
ステップＳ２０５でシャッタボタンが押されると、ステップＳ２０６に進み撮影手段を起動し、撮像装置により撮影を実行する。続くステップＳ２０７で自動的に受信手段を起動し、受信可能範囲にある無線タグＩＤを受信する。次に、ステップＳ２０８においてＩＤ登録手段を起動し、受信したＩＤをデータベースに登録し、ステップＳ２０３に戻る。
【００２６】
ステップＳ２０４において、モードが表示であった場合には、ステップＳ２１１に進み、選択画面表示処理を起動し、選択画面を表示する。次にステップＳ２１２において、操作入力を待つ。
【００２７】
ステップＳ２１２において、入力がカーソルキーであった場合には、再びステップＳ２１２に戻り、その他の入力があるまで待機する。ステップＳ２１２において、入力がモード切替であった場合には、ステップＳ２０３に戻り、以降、対応処理を実行する。
【００２８】
ステップＳ２１２において、属性登録ボタンが押された場合は、ステップＳ２１３に進み、属性登録処理を起動し、選択画面にて選択された画像ＩＤに属性を追加登録して、ステップＳ２０３に戻る。ステップＳ２１２において、通信ボタンが押された場合は、ステップＳ２１４に進み、受信手段を起動し受信可能範囲にある無線タグＩＤを受信し、続くステップＳ２１５で照合手段を起動し、選択画面にて選択された画像ＩＤと受信ＩＤを照合する。
【００２９】
次にステップＳ２１６において、通知手段を起動し、照合結果を通知してステップＳ２０３に戻る。ステップＳ２１２においてグループボタンが押された場合は、ステップＳ２１７に進み、グループ処理を起動し、選択画像に応じたグループ化またはグループ解除処理を実行し、ステップＳ２０３に戻る。ステップＳ２１２において、決定ボタンが押された場合は、ステップＳ２１８に進み、選択画面において現在選択中の画像を全画面表示し、ステップＳ２０３に戻る。
【００３０】
図３は、本実施形態に係るタグＩＤ受信カード１０における受信器の動作の流れを示したフローチャートである。
図３に示すように、受信器が起動し、無線タグＩＤを取得した場合には（ステップＳ３０１）、ステップＳ３０２に進み、テンポラリリスト生成処理を起動し、取得された無線タグＩＤよりテンポラリーの受信ＩＤリストを生成して終了する。ステップＳ３０１において、無線タグＩＤが取得不能であった場合には以降の処理を行わずに終了する。
【００３１】
図４は、本実施形態に係る情報処理装置によるＩＤ登録処理の流れを示したフローチャートである。
図４に示すように、ＩＤ登録処理が起動されると、ステップＳ４０１において、テンポラリーの受信ＩＤリストを参照しデータが複数存在する場合は、ステップＳ４０２に進み、データベース内で既存のグループＩＤ番号に１インクリメントしたグループＩＤをセットする。ステップＳ４０１において、受信ＩＤリストのデータが１以下の場合は、ステップＳ４０３に進み、グループＩＤにｎｕｌｌをセットする。
【００３２】
次に、ステップＳ４０４において、処理対象を受信ＩＤリストの先頭にセットする。続いてステップＳ４０５において、リスト終了でない場合には、ステップＳ４０６に進み、処理対象の受信ＩＤ、撮影された画像データへの参照ＩＤ及びグループＩＤをセットにしてデータベースのＩＤテーブルに追加する。続くステップＳ４０７で処理対象リストを１つ進め、ステップＳ４０４に戻り、処理対象リストが終了するまでステップＳ４０５以降の処理を繰り返す。ステップＳ４０５において、リスト終了と判断された場合には、処理を終了する。
【００３３】
図５は、本実施形態に係る情報処理装置による属性登録処理の流れを示したフローチャートである。
図５に示すように、属性登録処理が起動されると、先ず、ステップＳ５０１において登録画面が表示される。次に、ステップＳ５０２において、入力エリアの先頭にカーソルがセットされる。
【００３４】
次にステップＳ５０３において、カーソルキーが選択された場合には、ステップＳ５０４に進み、入力エリアを移動する。続いてステップＳ５０３において、ペンが選択された場合には、ステップＳ５０５に進み、ペン入力手段を起動してペン入力を行う。
【００３５】
次にステップＳ５０６において、登録ボタンが押されるまでステップＳ５０６に戻り待機する。ステップＳ５０６で登録ボタンが押されると、ステップＳ５０７に進み、入力されたデータをデータベースのＩＤテーブルに登録して、処理を終了する。
【００３６】
図６は、本実施形態に係る受信ＩＤ表示処理の流れを示したフローチャートである。
図６に示すように、受信ＩＤ表示処理が起動されると、ステップＳ６０１において、受信ＩＤリストが存在する場合には、ステップＳ６０２に進み、受信ＩＤリストと一致するＩＤテーブルデータを取得する。次にステップＳ６０３において、取得されたＩＤテーブルデータを表示し処理を終了する。
【００３７】
ステップＳ６０１において、受信ＩＤリストが存在しない場合には、ステップＳ６０４に進み、メッセージ“受信範囲にＩＤは存在しません”等を表示し、処理を終了する。
【００３８】
図７は、本実施形態に係る情報処理装置による照合処理の流れを示したフローチャートである。
図７に示すように、照合処理が起動されると、ステップＳ７０１において、選択画像サムネイルに対応付けられたデータをＩＤテーブルより取得して選択リストを生成し、カウンタを０にセットする。
【００３９】
次に、ステップＳ７０２において、選択リストが終了していない場合にはステップＳ７０３に進み、更に受信リストが終了していない場合には、ステップＳ７０４に進み、選択リストと受信ＩＤを比較チェックする。ステップＳ７０４において、選択リストと受信ＩＤが一致する場合には、ステップＳ７０６に進み、カウンタを１つ進める。次に、ステップＳ７０７において、処理対象の選択リストを１つ進め、ステップＳ７０２に戻る。
【００４０】
ステップＳ７０４において、処理対象のＩＤと受信ＩＤが一致しない場合にはステップＳ７０５に進み、受信ＩＤリストを１つ進める。ステップＳ７０３において受信ＩＤリストが終了している場合には、ステップＳ７０８に進み、処理対象の選択リストを検出失敗バッファに書き込み、ステップＳ７０７に進む。
【００４１】
ステップＳ７０２において、選択リストが終了している場合には、ステップＳ７０９に進み、選択リストのＩＤ数と受信リストのＩＤ数とカウンタを比較し、一致する場合はＴｒｕｅを返して処理を終了する。ステップＳ７０９において、一致しない場合はＦａｌｓｅを返して処理を終了する。
【００４２】
図８は、本実施形態に係る情報処理装置による通知処理の流れを示したフローチャートである。
図８に示すように、通知処理が起動されると、ステップＳ８０１において、照合結果がＴｒｕｅである場合には、ステップＳ８０３に進み、検出成功処理を起動し、“指定のＩＤは全て正しく検出されました。”等のメッセージを表示するなど、対応する処理を実行する。
【００４３】
ステップＳ８０１において、照合結果がＦａｌｓｅである場合には、ステップＳ８０２に進み、検出失敗バッファの値がｎｕｌｌでない場合には、ステップＳ８０４に進み、検出失敗バッファに格納されたＩＤを検出失敗ＩＤとして取得し、次にステップＳ８０５においてエラー１処理を起動し、“以下のＩＤは検出できませんでした。”“検出失敗ＩＤ”等のメッセージを表示するなど、対応する処理を実行する。
【００４４】
ステップＳ８０２において、比較結果がＦａｌｓｅであり且つ、ステップＳ８０２において検出失敗バッファの値がｎｕｌｌである場合には、ステップＳ８０６に進み、エラー２処理を起動し、“未指定の無線タグを受信しました。”等のメッセージを表示するなど、対応する処理を実行する。
【００４５】
図９は、本実施形態に係る情報処理装置の外観構成を概略的に示した図である。
図９に示すように、本実施形態に係る情報処理装置９０１は、表示画面、ハードボタンとして撮影の為のシャッタボタン、選択の為のカーソルキー、撮影−表示のモード切替ボタン、グループ化及びグループ解除のグループ編集を行う為のグループボタン、画像データに属性を追加する属性登録ボタン、通信ボタンとを備えるものとする。
【００４６】
９０２は、本情報処理装置で撮影された画像の一例であり、撮影対象には無線タグＩＤが装着されているものとする。この場合、撮影と同時にＩＤ受信カードにより無線タグＩＤが取得され、撮影された画像と対応付けられてデ−タベースに格納される。９０３も、同様に本情報処理装置で撮影された画像の一例であり、撮影対象には無線タグＩＤが装着されていないものとする。この場合、撮影と同時にＩＤ受信カードにより無線タグＩＤが取得されないので、撮影された画像に対応付けられるべき無線タグＩＤデータはｎｕｌｌとしてデ−タベースに格納される。
【００４７】
図１０は、本実施形態に係る情報処理装置によるグループ処理の流れを示したフローチャートである。
図１０に示すように、グループ処理が起動されると、ステップＳ１００１において、現在の選択画像を第１の選択画像としてセットする。次にステップＳ１００２において、更に選択がおこなわれた場合には、ステップＳ１００３に進み、選択画像を追加する。
【００４８】
次にステップＳ１００４において、同じ画像が再選択された場合には、その画像の選択を解除する。続いて、ステップＳ１００６に進み、決定ボタンが押されるまで待機する。
【００４９】
ステップＳ１００２において、選択がおこなわれない場合には、ステップＳ１００６に進み、決定ボタンが押されるまで待機する。また、ステップＳ１００４において、同じ画像が再選択されない場合には、ステップＳ１００６に進み、決定ボタンが押されるまで待機する。
【００５０】
ステップＳ１００６において決定ボタンが押されると、ステップＳ１００７に進みグループ編集処理を起動し、次にステップＳ１００７において、再びグループボタンが押されるまでステップＳ１００８に戻り待機する。ステップＳ１００８において、グループボタンが押されると処理を終了する。
【００５１】
図１１は、本実施形態に係る情報処理装置によるグループ編集処理の流れを示したフローチャートである。  同図に示すように、グループ編集処理が起動されると、ステップＳ１１０１において、取得した選択画像を選択画像表示ウィンドウに渡す。次にステップＳ１１０２で、図１２にあるような編集画面を表示する。
【００５２】
次に、ステップＳ１１０３において、ソフトキーの“戻る”ボタンが押されると以降の処理を行わずに処理を終了する。ステップＳ１１０３において、“戻る”ボタンが押されていない場合は、ステップＳ１１０４に進み、合成モードメニューより択一で選択される処理を行う。
【００５３】
ステップＳ１１０４において合成モード“タテ”が選択されるとステップＳ１１０５に進み、タテ合成手段を起動し選択された複数の画像をタテ方向に分割し合成した画像を作成し、ステップＳ１１０９に進む。
【００５４】
ステップＳ１１０４において合成モード“ヨコ”が選択されるとステップＳ１１０６に進み、ヨコ合成手段を起動し選択された複数の画像をヨコ方向に分割し合成した画像を作成し、ステップＳ１１０９に進む。
【００５５】
ステップＳ１１０４において合成モード“インデックス”が選択されるとステップＳ１１０７に進み、インデックス合成手段を起動し選択された複数の画像をインデックス画面のような均等に分割し合成した画像を作成し、ステップＳ１１０９に進む。
【００５６】
ステップＳ１１０４において合成モード“ランダム”が選択されるとステップＳ１１０８に進み、ランダム合成手段を起動し選択された複数の画像を、予めプログラムされた方法で不規則な部分領域に割り当てて合成画像を作成し、ステップＳ１１０９に進む。この合成画像作成処理は例えば、不規則な多角形または円形による切抜きの組合せや、数ピクセルごとに帯状に重ね合わせ、各画像を透過加工すること等によって可能である。
【００５７】
ステップＳ１１０４において合成モード“解除”が選択された場合、ステップＳ１１１３に進み、決定ボタンが押された場合には、ステップＳ１１１４に進み合成画像を破棄し、続くステップＳ１１１５においてグループのリンク情報をデータベースより削除し、処理を終了する。
【００５８】
ステップＳ１１１３において、決定ボタンが押されない場合には、ステップＳ１１０４に戻り、選択された合成モードの対応した処理を行う。
【００５９】
次に、ステップＳ１１０９において、選択画像表示ウィンドウの任意の画像が選択された状態で且つ削除ボタンが押された場合、ステップＳ１１０１に戻り、削除画像を除いたカレントの選択画像を取得し、以降の処理を続ける。尚、ここでは、任意の画像が選択されていない状態では削除ボタンはディスエーブルになっているものとする。
【００６０】
また、選択画像表示ウィンドウより選択され削除された画像は、削除ボタンが押された時点で編集対象より除外されるものであり、カレントの選択画像を取得した段階で選択画像のリストより除外されているものとする。
【００６１】
次に、ステップＳ１１１０において、操作入力として“戻る”ボタンが押された場合は、以降の処理を行わず、処理を終了する。ステップＳ１１１０において、“決定”ボタンが押された場合は、ステップＳ１１１１に進み、合成サンプル表示ウィンドウに表示された合成サムネイル画像をデータベースに保存し、続くステップＳ１１１２において、リンク情報をデータベースの該当する選択画像のデータに書き込んで処理を終了する。
【００６２】
図１２は、本実施形態に係る情報処理装置のグループ編集画面を示す図である。
図１２に示すように、１２０１にあるような画面において、グループ化する対象である選択画像を表示する選択画像表示ウィンドウと、該画像グループを合成する合成モードの選択メニューと、ソフトキーで選択画像表示ウィンドウより任意の選択画像を削除する“削除”ボタンと、グループ編集処理をキャンセルする“戻る”ボタンと、選択された合成モードによる合成サンプルを表示する合成サンプル表示ウィンドウを備える。合成モードメニューは択一で、タテ、ヨコ、インデックス、ランダムと、合成モード解除がある。１２０２は、同画面における合成モード選択メニューのサンプル例である。
【００６３】
図１３は、本実施形態に係る情報処理装置におけるグループ化操作例を示す図である。  図１３に示すように、１３０１の選択画面表示中に任意の画像を１つ選択すると、１３０２に示すように枠で囲む等、選択状態を示す図形を表示する。
【００６４】
次に、１３０３のグループボタンを押すと、１３０４にあるような複数選択可能な画面が表示され、同画面上で第１の選択画像１３０２に追加する画像を選択する。この時、第１の選択画像１３０２には、１３０６に示すように、追加選択画像と区別する識別図形を表示するものとする。
【００６５】
次に、１３０５の決定ボタンを押すと、１３０７にあるようなグループ編集画面が表示され、同画面上でグループ編集が行われる。１３０７の画面では、選択画像表示ウィンドウ１３０８に、１３０４で選択された４枚の画像が表示されており、合成モードメニュー１３０９では“インデックス”が選択されており、その結果として、合成サンプル表示ウィンドウ１３１０にインデックス合成された合成画像サムネイルが表示されている。
【００６６】
図１４は、本実施形態に係る情報処理装置の他のグループ化操作例を示す図である。
図１４に示すように、１４０１の選択画面で選択された任意の画像が既にグループ化された合成画像であるとする。このとき、図１３の１３０４と同様に、グループボタンを押してから追加画像を選択し、決定ボタンを押すと、１４０３のようにグループ編集画面を表示し、合成画像であった第１の選択画像のグループ構成画像と、１４０２の画面上で追加された画像の４枚を表示する。ここでは、インデックス合成が選択されており、合成サンプル表示ウィンドウには前記４枚の画像をインデックス合成した画像が表示されている。
【００６７】
図１５は、本実施形態に係る情報処理装置におけるグループ解除操作を示す図である。
図１５に示すように、１５０１の選択画面で選択された任意の画像が既にグループ化された合成画像であるとする。このとき、追加画像の選択なしにグループボタンを押すと、１５０２に示すように、グループ編集画面が表示され、合成画像であった選択画像のグループ構成画像が選択画像表示ウィンドウに表示される。このとき、合成モードメニュー“解除”が選択された状態で、決定ボタンが押されると、元のグループ画像であった合成画像を破棄し、同時にデータベース上のリンク情報を削除して編集画面を終了する。その結果、１５０３に示すように、１５０１で選択されていたグループ画像は削除され、グループ解除された画像２枚が追加された状態が表示される。
【００６８】
図１６は、本実施形態に係る情報処理装置によるグループ解除操作の他の例であるグループ部分解除を示した図である。
図１６に示すように、１６０１の選択画面で選択された任意の画像が既にグループ化された合成画像であるとする。このとき、追加画像の選択なしにグループボタンを押すと、１６０２に示すように、グループ編集画面が表示され、合成画像であった選択画像のグループ構成画像が選択画像表示ウィンドウに表示される。このとき、選択画像表示ウィンドウに表示された画像より任意の画像を選択し、“削除”ボタンを押すと、選択画像表示ウィンドウよりその画像が削除される。
【００６９】
そして、“決定”ボタンが押されると、１６０３に示すように、削除された画像を除いた残りの画像を合成モードメニューの選択に従ってグループ化したグループ画像が生成、表示され、グループより削除（グループ解除）された画像が、個別画像として表示される。その一方で、上記残りの画像群を改めてグループとしてリンク情報がデータベースに書き込まれる。
【００７０】
図１７は、本実施形態に係る情報処理装置のデータベース構造を示す図である。
図１７に示すように、本情報処理装置のデータベースには、１７０１に示すように、無線タグＩＤリスト、画像サムネイルＩＤリスト、グループＩＤリスト及び合成画像ＩＤリストがそれぞれ格納されており、１７０２は、これらを関連付けるＩＤテーブルである。このとき、画像サムネイルは、撮影と同時に取得された無線タグＩＤと一対一で対応付けられ、同ＩＤ番号を持つものとする。
また、合成画像はグループＩＤリストと一対一で対応付けられ、同ＩＤ番号を持つものとする。
【００７１】
以下に、本実施形態について具体的な動作を上記フローを用いながら流れを追って説明する。
本実施形態に係る情報処理装置は、図１に示すようなシステム構成と図９に示すような外観構成を有するものとし、ＩＤ受信カードと撮像装置とを装着した状態にあるとする。
【００７２】
本体において、電源が投入されるとシステムが起動し、先ず、図２のステップＳ２０２で電源投入後のシステムの初期化処理を行ない、ステップＳ２０４において、モードが撮影であるとする。この時、シャッタボタン９０１（図９）が押されると、ステップＳ２０６に進みファインダに表示された被写体の画像の撮影が行われる。続いて自動的に、ステップＳ２０７においてタグＩＤ受信カード内の受信器が起動され、無線タグＩＤの受信が行われる。この時、図９の９０２に示すように、撮影された被写体の近傍すなわち本装置が撮影時に存在した位置より受信可能な範囲内において受信可能な無線タグＩＤが取得されることになる。
【００７３】
無線タグＩＤが受信されると、図３のステップＳ３０２において、受信ＩＤリストが生成され、ステップＳ２０８で図４のＩＤ登録処理を起動し、受信された無線タグＩＤが複数であった場合には、新規グループＩＤをデータベースより取得し、ステップＳ４０６において、受信した無線タグＩＤ、グループＩＤ及び撮影された画像のサムネイルＩＤをセットにしてＩＤテーブルに追加する。このとき、撮影された画像が、９０３に示すような予め無線タグＩＤの付せられていない被写体であった場合には、ステップＳ３０１で無線タグＩＤが取得されず、撮影された画像に対応する無線タグＩＤはｎｕｌｌの状態でデータベースに格納される。
【００７４】
このようにしてデータベースに登録された画像データを、グループ化して管理する操作例について、以下に具体的に述べる。
本情報処理装置において、電源が投入されるとシステムが起動し、ステップＳ２０４においてモードが表示である時、ステップＳ２１１で選択画面が表示されている。このとき、図１３のグループ化操作例で示すように、１３０１にあるようにデータベースに存在する画像が表示されており、１３０２に示すように任意の画像を選択し、グループボタン１３０３を押されると、ステップＳ２１７でグループ処理が起動する。次に、図１０のステップＳ１００１で現在の選択画像を第１の選択画像として格納し、１３０６にあるように第１の選択画像であることを識別可能な図形を表示する。次に、ステップＳ１００２以下の処理により追加画像を選択する。ここでは、タップにより選択／解除を切替え、複数画像の選択を可能とする。
【００７５】
次に、１３０４にあるように追加の選択画像を選択し、決定ボタン１３０５が押されると、ステップＳ１００７でグループ編集処理を起動し、図１２に示すような編集画面を表示し、グループ編集処理を行える。図１３の１３０７では、選択画像表示ウィンドウ１３０８に、第１の選択画像１枚と１３０４で選択された３枚の追加画像の計４枚が表示されており、合成モードメニュー１３０９ではインデックスが選択されているため、図１１のステップＳ１１０７でインデックス合成処理により前記画像の合成が行われ、図１３の合成サンプル表示ウィンドウ１３１０にインデックス合成された合成画像サムネイルが表示されている。ここで決定ボタンが押されると、図１１のステップＳ１１１１で前記合成画像が保存され、ステップＳ１１１２において、グループ化した４枚の画像のＩＤデータに生成された合成画像へのリンク情報が書き込まれる。その結果、図１６の１６０１に示すように、選択画面を表示すると、左上に前記合成画像が表示されている。
【００７６】
続いて、グループ化処理の他の例について説明する。
図２のステップＳ２０４においてモードが表示である時、ステップＳ２１１で選択画面が表示される。このとき、図１４のグループ化操作例で示すように、１４０１にあるようにデータベースに存在する画像が表示されており、ここで選択された画像は、既にグループ化された合成画像であるとする。
【００７７】
続いて、１４０２にあるようにグループボタンが押されて、追加画像が選択される。続いて、決定ボタンが押されることにより、図１２に示すような編集画面を表示し、グループ編集処理を行う。図１４の１４０３では、選択画像表示ウィンドウに、合成画像であった第１の選択画像を構成する２枚の画像と、１４０２の画面上で選択された２枚の画像が表示されている。合成モードメニューはインデックスが選択されており、図１１のステップＳ１１０７でインデックス合成処理により前記画像の合成が行われ、図１４の１４０３の画面上において、合成サンプル表示ウィンドウにインデックス合成された合成画像サムネイルが表示されている。ここで決定ボタンが押されると、図１１のステップＳ１１１１で前記合成画像が保存され、ステップＳ１１１２で、グループ化した４枚の画像のＩＤデータに生成された合成画像へのリンク情報が書き込まれる。その結果、図１６の１６０１にあるように、選択画面を表示すると、左上に前記合成画像が表示されている。
【００７８】
次に、グループ解除操作の例について説明する。
図２のステップＳ２０４においてモードが表示である時、ステップＳ２１１で選択画面が表示される。このとき、図１５のグループ解除操作例で示すように、１５０１にあるようにデータベースに存在する画像が表示されており、ここで選択された画像は、既にグループ化された合成画像であるとする。
【００７９】
続いて、グループボタンが押され、追加画像が選択されないままに、決定ボタンが押されるとする。続いて、１５０２にあるように、選択画像表示ウィンドウに、合成画像であった第１の選択画像を構成する２枚の画像が表示されている。ここでは、図１５の１５０２に示すように、合成モードメニューは解除が選択されており、この時、合成サンプル表示ウィンドウには、合成画像を破棄することを図示する図形が表示されている。
【００８０】
ここで決定ボタンが押されると、ステップＳ１１１４で前記合成画像が破棄され、ステップＳ１１１５で、グループ化されていた２枚の画像のＩＤデータの合成画像へのリンク情報を削除する。その結果、図１５の１５０３にあるように、合成画像に変わってグループ解除された２枚の画像が選択画面に表示されている。
【００８１】
次に、グループ解除操作の他の例について説明する。
図２のステップＳ２０４においてモードが表示である時、ステップＳ２１１で選択画面が表示される。このとき、図１６のグループ解除操作例で示すように、１６０１にあるようにデータベースに存在する画像が表示されており、ここで選択された画像は、既にグループ化された合成画像であるとする。
【００８２】
続いて、グループボタンが押され、追加画像が選択されないままに、決定ボタンが押されるとする。続いて、１６０２にあるように、選択画像表示ウィンドウに、合成画像であった第１の選択画像を構成する４枚の画像が表示されており、そのうち２枚について選択されている。
【００８３】
ここで、削除ボタンが押されると、図１６の１６０３にあるように、選択画像表示ウィンドウより前記選択された２枚の画像が削除され、残り２枚の画像を表示した状態になる。
【００８４】
続いて、図１６の合成モードメニューではタテが選択されており、ステップＳ１１０５でタテ合成処理により前記画像の合成が行われ、決定ボタンが押されると、ステップＳ１１１１で前記合成画像が保存され、ステップＳ１１１２で、グループ化した２枚の画像のＩＤデータに生成された合成画像へのリンク情報が新たに書き込まれる。この時点で、元のグループの合成画像とそのリンクデータは破棄されるものとする。
【００８５】
以上のように、上記実施形態では、画像を指標としてデータベースに存在する大量のデータを整理・管理することが可能である。即ち、不特定多数の物品について、予め個々の物品ごとにデータベースに登録する必要なく、無線タグＩＤを用いて簡単にデータベースに登録し同時に撮影画像による共通の属性を付与することを実現した為、非常に簡便に物品のグルーピングが行えるという多大な効果が得られた。
【００８６】
さらに、上記実施形態によれば、後から属性の追加や削除等、管理することが可能になる為、管理対象となる物品の追加、変更、削除が用意に行えるという効果がある。
【００８７】
ところで、特開２０００−２７６４７４号公報においては、関連性のある、または任意に関連付けられた複数の画像を選択しグループ化して管理する手法が開示されている。また、特開２００１−００８１４９号公報には、さらにその際に、代表サムネイルを設定して、代表サムネイルのみを表示することで画像整理を可能にするとともに、関連画像群を検出し易くする手法が開示されている。
【００８８】
しかしながら、上記従来技術では、グループ化された複数の画像の内容を確認する為には、グループ化された各画像を一度展開する必要がある。また、代表サムネイルに割り当てられるのは単一の画像に指定されており、グループ化された画像を類推するのは困難であった。
【００８９】
これに対し、上記実施形態では、データベースに登録された任意の複数の画像をグループ化し、その構成内容について類推可能な合成サムネイルを作成することで、検索を容易にし、また、グループ編集により変更が加えられる都度に新たな合成画像を作成しデータの更新を自動的に行うことにより、よりデータ管理が容易になるという効果がある。
【００９０】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００９１】
この場合、記憶媒体から読み出されたプログラムコード自体が前述した実施形態の機能を実現することになり、プログラムコード自体及びそのプログラムコードを記憶した記憶媒体は本発明を構成することになる。
【００９２】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００９３】
また、コンピュータが読み出したプログラムコードを実行することにより、前述した実施形態の機能が実現されるだけでなく、そのプログラムコードの指示に基づき、コンピュータ上で稼動しているＯＳ（基本システム或いはオペレーティングシステム）などが実際の処理の一部又は全部を行い、その処理によって前述した実施形態の機能が実現される場合も含まれることは言うまでもない。
【００９４】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【００９５】
ここで、本発明の実施態様を以下に列挙する。
［実施態様１］被写体を撮像する撮像手段より前記被写体の画像データを入力する第１の入力手段と、
物品に装着された情報送信装置から送信される前記情報処理装置の識別情報を入力する第２の入力手段と、
前記第１の入力手段より入力された前記被写体の画像データと、前記第２の入力手段より入力された前記物品の識別情報とを対応付けて記憶する記憶手段と、前記記憶手段にて記憶される画像データから任意の画像データを選択可能な選択手段と、
前記受信手段より情報送信装置の識別情報を前記第２の入力手段が新たに入力した場合、前記選択手段にて選択された前記画像データに対応付けて記憶される複数の情報送信装置の識別情報を前記記憶手段から抽出する抽出手段と、
前記抽出手段により抽出された前記複数の情報送信装置の識別情報と、前記新たな情報送信装置の識別情報とを照合する照合手段と、
前記照合手段による照合結果を通知する通知手段とを有することを特徴とする情報処理装置。
【００９６】
［実施態様２］前記撮像手段の一撮影処理について前記受信手段が受信した複数の情報送信装置の識別情報を前記第２の入力手段が入力した場合、前記複数の情報送信装置の識別情報をグループ化し、前記グループの識別情報を生成するグループ生成手段を更に有し、
前記記憶手段は、前記グループ生成手段により前記グループの識別情報が生成された場合、前記複数の情報送信装置の識別情報、前記被写体の画像データ及び前記グループの識別情報を対応付けて記憶することを特徴とする実施態様１に記載の情報処理装置。
【００９７】
［実施態様３］前記記憶手段にて記憶される画像データから複数の画像データを任意に選択可能な選択手段と、
前記選択手段にて選択された前記複数の画像データをグループ化するグループ生成手段と、
前記グループ生成手段によりグループ化された前記複数の画像データを合成する合成手段と、
前記合成手段により生成された合成画像データを表示する表示手段とを更に有することを特徴とする実施態様１に記載の情報処理装置。
【００９８】
［実施態様４］前記グループ生成手段は、グループ化した前記複数の画像データに更に新たな画像データを追加して新たなグループを生成することを特徴とする実施態様３に記載の情報処理装置。
【００９９】
［実施態様５］前記グループ生成手段は、グループ化した前記複数の画像データから任意の画像データを削除して新たなグループを生成することを特徴とする実施態様３に記載の情報処理装置。
【０１００】
［実施態様６］前記合成手段は、複数の分割領域に前記各画像データを割り当てることで前記合成画像データを生成することを特徴とする実施態様３に記載の情報処理装置。
【０１０１】
［実施態様７］前記合成手段は、不規則な部分領域に前記各画像データを割り当てることで前記合成画像データを生成することを特徴とする実施態様３に記載の情報処理装置。
【０１０２】
［実施態様８］前記合成手段は、前記各画像データを透過加工することにより前記合成画像データを生成することを特徴とする実施態様６又は７に記載の情報処理装置。
【０１０３】
［実施態様９］被写体を撮像する撮像手段より前記被写体の画像データを第１の入力手段より入力するステップと、
物品に装着された情報送信装置から送信される前記情報送信装置の識別情報を第２の入力手段より入力するステップと、
前記第１の入力手段より入力された前記被写体の画像データと、前記第２の入力手段より入力された前記物品の識別情報とを対応付けて記憶手段にて記憶するステップとを含むことを特徴とする情報処理方法。
【０１０４】
［実施態様１０］実施態様９に記載の情報処理方法をコンピュータに実行させるためのプログラム。
【０１０５】
［実施態様１１］実施態様１０に記載のプログラムを記録したコンピュータ読み取り可能な記録媒体。
【０１０６】
【発明の効果】
本発明によれば、物品の画像データと当該物品に装着された情報送信装置の識別情報とを入力し、それらを自動的に対応付けて記憶するように構成したので、物品管理処理に伴う入力の手間や入力ミス等の欠点を解消するとともに、更に、記憶手段にて記憶される画像データから選択された任意の画像データに対応付けられる複数の情報送信装置の識別情報と、新たに入力された情報送信装置の識別情報との照合結果が通知されることにより、物品管理を正確に行うことが可能となる。
【図面の簡単な説明】
【図１】本発明の一実施形態に係る情報処理システムのハードウェア構成を示すブロック図である。
【図２】本発明の一実施形態に係る情報処理システム全体の流れを示す図である。
【図３】本発明の一実施形態に係るタグＩＤ受信カードにおける受信器の動作の流れを示したフローチャートである。
【図４】本発明の一実施形態に係る情報処理装置によるＩＤ登録処理の流れを示したフローチャートである。
【図５】本発明の一実施形態に係る情報処理装置による属性登録処理の流れを示したフローチャートである。
【図６】本発明の一実施形態に係る受信ＩＤ表示処理の流れを示したフローチャートである。
【図７】本発明の一実施形態に係る情報処理装置による照合処理の流れを示したフローチャートである。
【図８】本発明の一実施形態に係る情報処理装置による通知処理の流れを示したフローチャートである。
【図９】本発明の一実施形態に係る情報処理装置の外観構成を概略的に示した図である。
【図１０】本発明の一実施形態に係る情報処理装置によるグループ処理の流れを示したフローチャートである。
【図１１】本発明の一実施形態に係る情報処理装置によるグループ編集処理の流れを示したフローチャートである。
【図１２】編集画面の一表示例を示した図である
【図１３】本発明の一実施形態に係る情報処理装置におけるグループ化操作例を示した図である。
【図１４】本発明の一実施形態に係る情報処理装置の他のグループ化操作例を示した図である。
【図１５】本発明の一実施形態に係る情報処理装置におけるグループ解除操作を示す図である。
【図１６】本発明の一実施形態に係る情報処理装置によるグループ解除操作の他の例であるグループ部分解除を示した図である。
【図１７】本発明の一実施形態に係る情報処理装置のデータベース構造を示した図である。
【符号の説明】
１：入力部（シャッタボタン、カーソルキー、決定ボタン、撮影−表示モード切替ボタン、グループボタン、属性登録ボタン、通信ボタン）
２：表示部（ディスプレイ）
３：入出力Ｉ／Ｆ
４：ＭＰＵ
５：プログラムメモリ
６：データメモリ
７：ファイルデータベース
８：ＩＤリストテーブル
９：バス
１０：タグＩＤ受信カード
１１：カードスロット
１２：撮像装置
１３：カメラＩ／Ｆ
【図１】
2004265099.tif 000003
【図２】
2004265099.tif 000004
【図３】
2004265099.tif 000005
【図４】
2004265099.tif 000006
【図５】
2004265099.tif 000007
【図６】
2004265099.tif 000008
【図７】
2004265099.tif 000009
【図８】
2004265099.tif 000010
【図９】
2004265099.tif 000011
【図１０】
2004265099.tif 000012
【図１１】
2004265099.tif 000013
【図１２】
2004265099.tif 000014
【図１３】
2004265099.tif 000015
【図１４】
2004265099.tif 000016
【図１５】
2004265099.tif 000017
【図１６】
2004265099.tif 000018
【図１７】
2004265099.tif 000019